(57)【要約】  ネットワークにより開始される接続の確立は、一時的識別子と共有制御チャネルインデックスとをページングメッセージに添付する基地局を利用する。ページングメッセージが意図されるユーザ装置は、ページングアクノリッジメントにより応答する。ページングアクノリッジメントに応答して、ネットワークはＵＥとの共有チャネル接続を確立する。
2009535950.tif 000002
【特許請求の範囲】
【請求項１】
セルラー通信システムにおいて無線インタフェースを介しユーザ装置とのネットワークにより開始される接続を確立する基地局であって、
ページングメッセージを受信するロジックと、
少なくとも１つのセル内の個別のユーザ装置（ＵＥ）に前記ページングメッセージと一時的識別子とを送信するロジックと、
前記少なくとも１つのセル内のユーザ装置（ＵＥ）からページングアクノリッジメントを受信するロジックと、
前記ページングアクノリッジメントに応答して、当該基地局と前記ＵＥとの間の共有チャネル接続を確立するロジックと、
を有し、
前記一時的識別子は、前記共有チャネルを利用可能な複数のＵＥから前記共有チャネル上で前記個別のＵＥを識別する基地局。
【請求項２】
前記ページングメッセージを受信するロジックは、コアネットワークから前記ページングメッセージを受信するよう動作可能である、請求項１記載の基地局。
【請求項３】
前記個別のＵＥがドーマント状態にあることに応答して、前記ＵＥが最後に登録された基地局からの一時的識別子を前記ＵＥに割り当てるロジックを有する、請求項１又は２記載の基地局。
【請求項４】
前記送信するロジックは、共有チャネル処理中に前記ＵＥについて制御情報を通信するための少なくとも１つの共有制御チャネル（ＳＣＣＨ）に、前記ページングメッセージと共に少なくとも１つのチャネルインデックスを送信するよう動作可能である、請求項１乃至３何れか一項記載の基地局。
【請求項５】
ページングアクノリッジメントについて前記ＵＥにより使用されるべき専用のアクセスリソースの指示を前記ＵＥに通知するロジックを有する、請求項１乃至４何れか一項記載の基地局。
【請求項６】
前記専用のアクセスリソースは、専用の物理チャネルを有する、請求項５記載の基地局。
【請求項７】
前記専用のアクセスリソースは、競合ベースチャネル上で使用される専用の信号シーケンスを有する、請求項５記載の基地局。
【請求項８】
前記ページングアクノリッジメントを受信するロジックは、競合ベースアップリンクチャネルを介し前記ページングアクノリッジメントを受信するよう動作可能である、請求項１乃至７何れか一項記載の基地局。
【請求項９】
前記ＵＥと前記コアネットワークとの間の共有チャネル通信を確立するため、前記ページングアクノリッジメントを前記コアネットワークに送信するロジックをさらに有する、請求項１乃至８何れか一項記載の基地局。
【請求項１０】
前記送信するロジックは、報知チャネルを用いて前記ページングメッセージを送信するよう動作可能である、請求項１乃至９何れか一項記載の基地局。
【請求項１１】
前記一時的識別子はセルに固有のものであり、
当該基地局はさらに、当該基地局において前記一時的識別子を選択するロジックを有する、請求項１乃至１０何れか一項記載の基地局。
【請求項１２】
当該基地局において前記ＳＣＣＨを選択するロジックをさらに有する、請求項１１記載の基地局。
【請求項１３】
前記ページングアクノリッジメントを受信するロジックは、前記ＵＥからのアップリンク同期要求に基づき、前記ＵＥとの通信を同期させるロジックを有する、請求項１乃至１２何れか一項記載の基地局。
【請求項１４】
前記アップリンク同期要求は、ページングアクノリッジメントメッセージの一部である、請求項１３記載の基地局。
【請求項１５】
前記一時的識別子は、セルに固有のものであり、
当該基地局はさらに、前記コアネットワークから前記一時的識別子を受信するロジックを有する、請求項１乃至１４何れか一項記載の基地局。
【請求項１６】
前記一時的識別子は、セルに固有のものであり、
当該基地局はさらに、前記コアネットワークの外部のリソースマネージャから前記一時的識別子を受信するロジックを有する、請求項１乃至１５何れか一項記載の基地局。
【請求項１７】
当該基地局はさらに、前記コアネットワークから選択されたチャネルインデックスを受信するロジックを有する、請求項１乃至１６何れか一項記載の基地局。
【請求項１８】
当該基地局はさらに、リソースマネージャから前記チャネルインデックスを受信するロジックを有する、請求項１７記載の基地局。
【請求項１９】
前記一時的識別子は、セルに固有のものである、請求項１乃至１８何れか一項記載の基地局。
【請求項２０】
前記一時的識別子は、登録エリア内の複数のセルに共通し、
当該基地局はさらに、前記コアネットワークから前記一時的識別子を受信するロジックを有する、請求項１乃至１９何れか一項記載の基地局。
【請求項２１】
前記一時的識別子は、登録エリア内の複数のセルに共通し、
当該基地局はさらに、リソースマネージャから前記一時的識別子を受信するロジックを有する、請求項１乃至１９何れか一項記載の基地局。
【請求項２２】
前記一時的識別子と前記ＳＣＣＨとは、セルに固有のものである、請求項４乃至２１何れか一項記載の基地局。
【請求項２３】
前記送信するロジックは、
各ページングインジケータが少なくとも１つのＵＥに対応する少なくとも１つのページングインジケータを第１物理チャネルで送信するロジックと、
各第２物理チャネルが少なくとも１つのＵＥに対応する、前記第１物理チャネルと異なる少なくとも１つの第２物理チャネルで前記ページングメッセージを送信するロジックと、
を有する、請求項１乃至２２何れか一項記載の基地局。
【請求項２４】
前記第１物理チャネルは、複数のページングインジケータを搬送するページングインジケータチャネルであり、
前記第２物理チャネルは、ページングチャネルである、請求項２３記載の基地局。
【請求項２５】
前記第１物理チャネルは、ＳＣＣＨチャネルであり、
前記第２物理チャネルは、ページングチャネルである、請求項２３記載の基地局。
【請求項２６】
ページングメッセージが導かれるＵＥのグループを識別するグループ識別子を前記ＳＣＣＨで送信するロジックをさらに有する、請求項２５記載の基地局。
【請求項２７】
前記第１物理チャネルは、ＳＣＣＨチャネルであり、
前記第２物理チャネルは、共有チャネルである、請求項２３記載の基地局。
【請求項２８】
少なくとも１つのページングメッセージが導かれるＵＥのグループを識別するグループ識別子を前記ＳＣＣＨで送信するロジックと、
前記共有チャネルによりページングメッセージを受信するため、前記ＵＥのグループに割り当てられたリソースの指示を前記ＳＣＣＨで送信するロジックと、
をさらに有する、請求項２７記載の基地局。
【請求項２９】
セルラー通信システムにおいて無線インタフェースを介しユーザ装置と基地局との間のネットワークにより開始される接続を確立する方法であって、
基地局において、
ページングメッセージを受信するステップと、
少なくとも１つのセル内の個別のユーザ装置（ＵＥ）に前記ページングメッセージと一時的識別子とを送信するステップと、
前記少なくとも１つのセル内のユーザ装置（ＵＥ）からページングアクノリッジメントを受信するステップと、
前記ページングアクノリッジメントに応答して、当該基地局と前記ＵＥとの間の共有チャネル接続を確立するステップと、
を有し、
前記一時的識別子は、前記共有チャネルを利用可能な複数のＵＥから前記共有チャネル上で前記個別のＵＥを識別する方法。
【請求項３０】
前記ページングメッセージを受信するステップは、コアネットワークから前記ページングメッセージを受信することを有する、請求項２９記載の方法。
【請求項３１】
前記ＵＥがドーマント状態にあることに応答して、前記ＵＥには、該ＵＥが最後に登録された基地局から割り当てられた同一の一時的識別子が割り当てられる、請求項２９又は３０記載の方法。
【請求項３２】
前記送信するステップは、共有チャネル処理中に前記ＵＥについて制御情報を通信する少なくとも１つの共有制御チャネル（ＳＣＣＨ）に、前記ページングメッセージと共に少なくとも１つのチャネルインデックスを送信することを有する、請求項２９乃至３１何れか一項記載の方法。
【請求項３３】
前記ページングメッセージを送信するステップは、ページングアクノリッジメントについて前記ＵＥにより使用される専用のアクセスリソースの指示を前記ＵＥに通知することを有する、請求項２９乃至３２何れか一項記載の方法。
【請求項３４】
前記ＵＥと前記コアネットワークとの間の共有チャネル通信を確立するため、前記コアネットワークに前記ページングアクノリッジメントを送信することを有する、請求項２９乃至３２何れか一項記載の方法。
【請求項３５】
前記一時的識別子は、セルに固有のものであり、
当該方法はさらに、前記基地局において前記一時的識別子を選択することを有する、請求項２９乃至３４何れか一項記載の方法。
【請求項３６】
前記基地局において前記ＳＣＣＨを選択するステップをさらに有する、請求項２９乃至３５何れか一項記載の方法。
【請求項３７】
前記ＵＥからのアップリンク同期要求に基づき、前記基地局と前記ＵＥとの間の通信を同期させるステップをさらに有する、請求項２９乃至３６何れか一項記載の方法。
【請求項３８】
前記一時的識別子は、セルに固有のものであり、
前記一時的識別子は、前記ページングメッセージを送信した前記コアネットワークにより選択される、請求項３０乃至３７何れか一項記載の方法。
【請求項３９】
前記一時的識別子は、登録エリア内の複数のセルに共通し、前記コアネットワークにより選択される、請求項３０乃至３８何れか一項記載の方法。
【請求項４０】
前記ページングメッセージを送信するステップは、
各ページングインジケータが少なくとも１つのＵＥに対応する少なくとも１つのページングインジケータを第１物理チャネルにより送信するステップと、
各第２物理チャネルが少なくとも１つのＵＥに対応する、前記第１物理チャネルと異なる少なくとも１つの第２物理チャネルにより前記ページングメッセージを送信するステップと、
を有する、請求項２９乃至３９何れか一項記載の方法。
【請求項４１】
前記第１物理チャネルは、複数のページングインジケータを搬送するページングインジケータチャネルであり、
前記第２物理チャネルは、ページングチャネルである、請求項４０記載の方法。
【請求項４２】
前記第１物理チャネルは、ＳＣＣＨチャネルであり、
前記第２物理チャネルは、ページングチャネルである、請求項４０記載の方法。
【請求項４３】
ページングメッセージが導かれるＵＥのグループを識別するグループ識別子を前記ＳＣＣＨで送信するステップをさらに有する、請求項４２記載の方法。
【請求項４４】
前記第１物理チャネルは、ＳＣＣＨチャネルであり、
前記第２物理チャネルは、共有チャネルである、請求項４０記載の方法。
【請求項４５】
セルラー通信システムにおいて無線インタフェースを介しユーザ装置（ＵＥ）と基地局との間のネットワークにより開始される接続を確立するリソースマネージャであって、
前記ＵＥについて一時的識別子を選択するロジックと、
前記ＵＥへの前記基地局による送信のため、ページングメッセージと共に前記一時的識別子を前記基地局に提供するロジックと、
を有し、
前記一時的識別子は、共有チャネルを利用可能な複数のＵＥから前記ＵＥと前記基地局との間の共有チャネル処理中に前記個別のＵＥを識別するリソースマネージャ。
【請求項４６】
前記ページングメッセージは、コアネットワークにより前記基地局に提供される、請求項４５記載のリソースマネージャ。
【請求項４７】
当該リソースマネージャは、前記ページングメッセージを前記基地局に提供するコアネットワーク外の無線リソースマネージャである、請求項４５又は４６記載のリソースマネージャ。
【請求項４８】
ＵＥ識別子を含むページングメッセージを登録エリア内の少なくとも１つの基地局に送信するロジックと、
第１基地局を介し前記ＵＥ識別子に係るＵＥからページングアクノリッジメントを受信し、前記第１基地局と前記ＵＥとの間の共有チャネル接続を確立するロジックと、
を有する、請求項４５乃至４７何れか一項記載のリソースマネージャ。
【請求項４９】
当該リソースマネージャは、前記ページングメッセージを前記基地局に提供する前記コアネットワークの一部である、請求項４８記載のリソースマネージャ。
【請求項５０】
当該リソースマネージャは、アクセスゲートウェイである、請求項４９記載のリソースマネージャ。
【請求項５１】
共有制御チャネル（ＳＣＣＨ）に対するチャネルインデックスを選択するロジックと、
前記ページングメッセージと前記一時的識別子と共に、前記ＵＥへの前記基地局による送信のため、前記チャネルインデックスを前記基地局に提供するロジックと、
をさらに有し、
前記ＳＣＣＨは、共有チャネル処理中に前記ＵＥと前記基地局との間の一時的識別子を含む制御情報を通信する、請求項４５乃至５０何れか一項記載のリソースマネージャ。
【請求項５２】
前記一時的識別子と前記ＳＣＣＨとは、セルに固有のものである、請求項５１記載のリソースマネージャ。
【請求項５３】
前記一時的識別子と前記ＳＣＣＨとは、前記コアネットワークの登録エリア内の複数のセルに共通である、請求項５１又は５２記載のリソースマネージャ。
【請求項５４】
セルラー通信システムにおいて無線インタフェースを介しユーザ装置（ＵＥ）と基地局との間のネットワークにより開始される接続を確立する方法であって、
前記ＵＥについて一時的識別子を選択するステップと、
前記ＵＥへの前記基地局による送信のため、ページングメッセージと共に前記一時的識別子を前記基地局に提供するステップと、
を有し、
前記一時的識別子は、共有チャネルを利用可能な複数のＵＥから前記ＵＥと前記基地局との間の共有チャネル処理中に前記個別のＵＥを識別する方法。
【請求項５５】
前記ページングメッセージは、コアネットワークにより前記基地局に提供される、請求項５４記載の方法。
【請求項５６】
前記リソースマネージャは、前記ページングメッセージを前記基地局に提供するコアネットワーク外の無線リソースマネージャである、請求項５４又は５５記載の方法。
【請求項５７】
ＵＥ識別子を含むページングメッセージを登録エリア内の少なくとも１つの基地局に送信するステップと、
第１基地局を介し前記ＵＥ識別子に係るＵＥからページングアクノリッジメントを受信し、前記第１基地局と前記ＵＥとの間の共有チャネル接続を確立するステップと、
を有する、請求項５４乃至５６何れか一項記載の方法。
【請求項５８】
前記リソースマネージャは、前記ページングメッセージを前記基地局に提供する前記コアネットワークの一部である、請求項５７記載の方法。
【請求項５９】
前記リソースマネージャにおいて、
共有制御チャネル（ＳＣＣＨ）に対するチャネルインデックスを選択するステップと、
前記ページングメッセージと前記一時的識別子と共に、前記ＵＥへの前記基地局による送信のため、前記チャネルインデックスを前記基地局に提供するステップと、
をさらに有し、
前記ＳＣＣＨは、共有チャネル処理中に前記ＵＥと前記基地局との間の一時的識別子を含む制御情報を通信する、請求項５４乃至５８記載の方法。
【請求項６０】
前記一時的識別子と前記ＳＣＣＨとは、セルに固有のものである、請求項５９記載の方法。
【請求項６１】
前記一時的識別子と前記ＳＣＣＨとは、前記コアネットワークの登録エリア内の複数のセルに共通である、請求項５９記載の方法。
【請求項６２】
セルラー通信システムにおいて無線インタフェースを介し基地局とのネットワークにより開始される接続を確立するユーザ装置（ＵＥ）であって、
前記基地局からページングメッセージと一時的識別子とを受信するロジックと、
前記基地局と当該ＵＥとの間の共有チャネル接続を確立するため、ページングアクノリッジメントを前記基地局に送信するロジックと、
を有し、
前記一時的識別子は、前記共有チャネルを利用可能な複数のＵＥから前記共有チャネル上で当該個別のＵＥを識別するユーザ装置。
【請求項６３】
前記基地局から前記ページングメッセージと共に受信された少なくとも１つの共有制御チャネル（ＳＣＣＨ）に対するチャネルインデックスを利用して、共有チャネル処理中に制御情報を通信するロジックをさらに有する、請求項６２記載のユーザ装置。
【請求項６４】
前記受信するロジックは、前記基地局から専用のアクセスリソースの指示を受信するよう動作可能であり、
当該ＵＥはさらに、ページングアクノリッジメントのための専用のアクセスリソースを利用するロジックを有する、請求項６２又は６３記載のユーザ装置。
【請求項６５】
前記一時的識別子は、セルに固有のものである、請求項６２乃至６４何れか一項記載のユーザ装置。
【請求項６６】
前記ページングアクノリッジメントを送信するロジックは、前記基地局にアップリンク同期要求を送信するよう動作可能である、請求項６２乃至６５何れか一項記載のユーザ装置。
【請求項６７】
前記アップリンク同期要求は、ページングアクノリッジメントメッセージの一部である、請求項６６記載のユーザ装置。
【請求項６８】
前記受信するロジックは、
各ページングインジケータが少なくとも１つのＵＥに対応する少なくとも１つのページングインジケータを第１物理チャネルにより受信し、
各第２物理チャネルが少なくとも１つのＵＥに対応する、前記第１物理チャネルと異なる少なくとも１つの第２物理チャネルにより前記ページングメッセージを受信する、
よう動作可能である、請求項６２乃至６７何れか一項記載のユーザ装置。
【請求項６９】
前記第１物理チャネルは、複数のページングインジケータを搬送するページングインジケータチャネルであり、
前記第２物理チャネルは、ページングチャネルである、請求項６８記載のユーザ装置。
【請求項７０】
前記第１物理チャネルは、ＳＣＣＨチャネルであり、
前記第２物理チャネルは、ページングチャネルである、請求項６８記載のユーザ装置。
【請求項７１】
当該ＵＥが属するＵＥのグループを識別するグループ識別子を前記ＳＣＣＨで受信するロジックをさらに有する、請求項７０記載のユーザ装置。
【請求項７２】
前記第１物理チャネルは、ＳＣＣＨチャネルであり、
前記第２物理チャネルは、共有チャネルである、請求項６８乃至７１何れか一項記載のユーザ装置。
【請求項７３】
当該ＵＥが属するＵＥのグループを識別するグループ識別子を前記ＳＣＣＨで受信するロジックと、
前記共有チャネルでページングメッセージを受信するため、当該ＵＥが属するＵＥのグループに割り当てられたリソースの指示を前記ＳＣＣＨで受信するロジックと、
をさらに有する、請求項７２記載のユーザ装置。
【請求項７４】
セルラー通信システムにおいて無線インタフェースを介し基地局とのネットワークにより開始される接続を確立する方法であって、
個別のＵＥによって、
前記基地局からページングメッセージと一時的識別子とを受信するステップと、
前記基地局と当該ＵＥとの間の共有チャネル接続を確立するため、ページングアクノリッジメントを前記基地局に送信するロジックと、
を有し、
前記一時的識別子は、前記共有チャネルを利用可能な複数のＵＥから前記共有チャネル上で当該個別のＵＥを識別する方法。
【請求項７５】
前記基地局から前記ページングメッセージと共に受信された少なくとも１つの共有制御チャネル（ＳＣＣＨ）に対するチャネルインデックスを利用して、共有チャネル処理中に制御情報を通信するステップをさらに有する、請求項７４記載の方法。
【請求項７６】
前記受信するステップは、前記基地局から専用のアクセスリソースの指示を受信することを有し、
ページングアクノリッジメントのための専用のアクセスリソースを利用するステップをさらに有する、請求項７４又は７５記載の方法。
【請求項７７】
前記基地局にアップリンク同期要求を送信するステップをさらに有する、請求項７４乃至７６何れか一項記載の方法。
【請求項７８】
前記受信するステップは、
各ページングインジケータが少なくとも１つのＵＥに対応する少なくとも１つのページングインジケータを第１物理チャネルにより受信し、
各第２物理チャネルが少なくとも１つのＵＥに対応する、前記第１物理チャネルと異なる少なくとも１つの第２物理チャネルにより前記ページングメッセージを受信する、
ことを有する、請求項７４乃至７７何れか一項記載の方法。
【請求項７９】
前記第１物理チャネルは、複数のページングインジケータを搬送するページングインジケータチャネルであり、
前記第２物理チャネルは、ページングチャネルである、請求項７８記載の方法。
【請求項８０】
前記第１物理チャネルは、ＳＣＣＨチャネルであり、
前記第２物理チャネルは、ページングチャネルである、請求項７８記載の方法。
【請求項８１】
当該ＵＥが属するＵＥのグループを識別するグループ識別子を前記ＳＣＣＨで受信するステップをさらに有する、請求項８０記載の方法。
【請求項８２】
前記第１物理チャネルは、ＳＣＣＨチャネルであり、
前記第２物理チャネルは、共有チャネルである、請求項７８乃至８１何れか一項記載の方法。
【発明の詳細な説明】
【技術分野】
【０００１】
本発明は、一般に無線通信システムに関し、より詳細には、セルラー通信システムにおける接続の確立に関する。
［関連技術の説明］
無線通信システムは、モバイル端末などのユーザ装置（ＵＥ）のバッテリ電力消費を最小化するスリープモードをサポートしている。スリープモードでは、モバイル端末は、ほとんど又は全く活動を行わず、トラフィックデータを送受信しない。このため、スリープモードのモバイル端末は、僅かな無線リンクリソースしか消費しない。このため、多数のユーザがシステムにおいて同時にサポート可能となる。
【０００２】
モバイル端末は、スリープモードを終了し、２つの方法により基地局（３ＧＰＰプロトコルによると“Ｎｏｄｅ  Ｂ”として知られている）の無線アクセスネットワーク（ＲＡＮ）に接続することができる。トラフィックがモバイル端末から送信される必要がある場合、モバイル端末は、ネットワークとの接続を要求することによって、スリープモードを終了する。これは、“モバイル端末により開始される（発生する）接続”と表される。そうでない場合、ネットワークは、モバイル端末にネットワークに接続するよう要求するかもしれない。これは、“ネットワークにより開始される接続（ｎｅｔｗｏｒｋ−ｉｎｉｔｉａｔｅｄ  ｃｏｎｎｅｃｔｉｏｎ）”と表される。“ネットワークにより開始される接続”においてスリープモードからモバイル端末をウェークアップするのに使用される手順は、ページングを利用する。
【０００３】
ページングは、スリープモードからモバイル端末をウェークアップすることに関する。ウェークアップ後、モバイル端末は、ダウンリンクページングチャネルで送信されるページングメッセージを読む。モバイル端末は、ページングメッセージを介しネットワークにより指示されるタスクを実行するか、又はネットワークに接続する。
【０００４】
これに伴う活動量及び接続量に応じて、スリープモードは、“アイドル（スタンバイ）”及び“ドーマント（ｄｏｒｍａｎｔ）”として２つのサブモードに分類可能である。アイドルモードでは、モバイル端末は、ＲＡＮとは接続せず、コアネットワークに接続する。他方、ドーマント状態では、モバイル端末はＲＡＮに接続される。スリープモードにおける可動性を支援するため、モバイル端末は、登録エリア又は“ページングゾーン”において登録される。モバイル端末は、ネットワークの登録処理において自らの位置及び状態を通知する。これは、ネットワークにより開始される接続の確立のケースにおいて効率的なページングを可能にする。登録エリアは、１以上の基地局（又はＮｏｄｅ−Ｂ）によりそれぞれ制御されるゾーン（１以上のセルなど）として定義されるかもしれない。登録エリアはまた、“ルーティングエリア”、“トラッキングエリア”、“ロケーションエリア”又は３Ｇ無線通信を実現するＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）については“ＵＴＲＡＮ登録エリア（ＵＲＡ）”として知られるかもしれない。
【０００５】
モバイル端末は、“登録エリア”が変更される際は常に登録を実行する。すなわち、モバイル端末がいるセルが、当該モバイル端末が以前に登録されていた登録エリアと異なる“登録エリア”アイデンティティを報知するときは常に、モバイル端末は、登録更新を実行すべきである。ここで、各セルが１つの“登録エリア”アイデンティティしか報知しないと仮定される。しかしながら、登録エリアは、重複するゾーンを含むよう規定されるかもしれない。この場合、セルは複数の登録エリアＩＤを報知することとなる。
【０００６】
従来のページング手順では、ページングメッセージを伝えるため２つの信号が使用される。第１ページング信号は、ページングメッセージが特定のＵＥ又はＵＥグループに送信されているか示すのに使用される。第２ページング信号は、第１ページング信号からの固定されたタイムオフセットにより第１ページング信号に続いて送信される。
【０００７】
モバイル端末は、電力消費を低減するため、スリープモードでは間欠受信（ＤＲＸ）を利用する。ＤＲＸが使用されると、モバイル端末は、ＤＲＸサイクル毎に１回のページング機会でしか第１ページング信号をモニタする必要はない。ＤＲＸサイクルの長さは、コアネットワークドメインに固有のものであり、コアネットワークからのシステム情報に与えられる情報を用いてモバイル端末においてローカルに更新されるかもしれない。
【０００８】
コアネットワークは、通常はモバイル端末がＤＲＸサイクル内で第１ページング信号をモニタしている時点を知っている。このため、ネットワークが特定のモバイル端末をページングしようとする場合、それは、モバイル端末がページングチャネルをモニタする時点で第１ページング信号を送信する。モバイル端末が第１ページング信号においてページングを受信しない場合、それはスリープモードに戻る。そうでない場合、モバイル端末は、第２ページング信号を読む。
【０００９】
ネットワークは、ネットワークにより発信された呼を確立するため、又は更新されたシステム情報の読み込みをトリガーするため、モバイル端末にページングするかもしれない。ページングメッセージに応答して、モバイル端末は、ＲＡＮとの接続を確立するか（モバイル端末が“アイドル”状態にある場合）、又はセル更新手順を利用してモバイル端末の位置を更新するかもしれない（モバイル端末が“ドーマント”状態にある場合）。
【００１０】
ページングレスポンスを受信すると、ＲＡＮは、セルレベルでモバイル端末の位置を知る。このため、無線リソースがセルについてモバイル端末に効率的に割当て可能となる。
【００１１】
従来のシステムでは、接続の確立及びページングメッセージへのセル更新レスポンス（ネットワークにより開始される接続）は、接続の確立／セル更新が“端末により開始される接続”に応答して実行される時点と同じ手順に従う。後者のケースでは、確立の原因は、接続要求メッセージがモバイル端末により受信されるまで、ネットワークには知られていない。このため、ネットワークは、モバイル端末からの最初の接続要求の受信後にのみ接続設定を管理することが可能となる。
［発明の概要］
ネットワークにより開始される接続の場合、ネットワークがモバイル端末にページングする前、それは、接続確立の原因を知っており、アイドル状態にあるときでさえ端末がコアネットワークに接続されているため、ある程度は端末のコンテクストを知っている。このため、ネットワークにおいて知られている情報は、モバイル端末とＲＡＮとの間の接続の確立を最適化（スピードアップ）するのに利用されるかもしれない。
【００１２】
本発明の実施例は、モバイル端末とＲＡＮとの間の接続をスピードアップするため、ネットワークにおいて知られている情報を利用するネットワークにより開始される接続の確立手順を提供する。本発明は、モバイル端末にネットワークにより開始された接続を通知するため、ページング手順を利用する。ページングメッセージは、共有チャネルを介し高速な接続確立をサポートするよう設計される。
【００１３】
本発明の実施例は、モバイル端末であるユーザ装置（ＵＥ）と無線アクセスネットワーク（ＲＡＮ）との間のネットワークにより開始される接続を確立する方法であって、（１）ネットワーク（ａＧＷなど）がＵＥが登録されたトラッキングエリアにおいてページングメッセージをＮｏｄｅ  Ｂに送信することにより接続を開始し、（２）Ｎｏｄｅ  Ｂ（トラッキングエリアに属する）がページングメッセージを受信し、ページングメッセージにセル固有の無線ネットワーク一時的アイデンティティ（ｃ−ＲＮＴＩ）と１以上の共有制御チャネル（ＳＣＣＨ）へのインデックスを添付する方法を提供する。ｃ−ＲＮＴＩ及びＳＣＣＨは、セルについて利用可能なｃ−ＲＮＴＩとＳＣＣＨから選択される。ｃ−ＲＮＴＩとＳＣＣＨの選択は、Ｎｏｄｅ  Ｂ、コアネットワーク（ａＧＷなど）又は独立した無線リソースマネージャ（ＲＲＭ）さーばにおいてスケジューラにより管理されるかもしれない。
【００１４】
完全なメッセージがセルにおいて報知される。受信ＵＥは、一時的なセル固有のアイデンティティとしてｃ−ＲＭＴＩを、共有チャネル処理のための係る共有制御チャネルとしてＳＣＣＨとを利用するかもしれない。メッセージがＵＥに対するものである場合、それは、アップリンクにおいてページングアクノリッジメントメッセージを送信する。メッセージは、競合ベースアップリンクチャネル（ＲＡＣＨなど）又は専用物理チャネルを介し送信されるかもしれない。
【００１５】
ＵＥからのページングアクノリッジメントのネットワークの受信により、ＵＥとネットワークとの間に共有チャネルが接続が確立される。共有チャネル接続の確立後、通知及びトラフィックデータはスケジューリングされた共有チャネルリソースを介し送信される。
【００１６】
ページングメッセージは、（１）ページングインジケータチャネル（ＰＩＣＨ）にマップされたページングインジケータ及び独立したページングチャネル（ＰＣＨ）にマップされたページングメッセージ、（２）共有制御チャネル（ＳＣＣＨ）にマップされたページングインジケータ及び独立したページングチャネル（ＰＣＨ）にマップされたページングメッセージ、又は（３）共有制御チャネル（ＳＣＣＨ）にマップされたページングインジケータ及びダウンリンク共有トランスポートチャネル（ＳＣＨ）にマップされたページングメッセージを利用して、ＵＥに伝送されるかもしれない。
【００１７】
ページングアクノリッジメントメッセージは、競合ベースランダムアクセスチャネルを介しアップリンク（ＵＬ）同期メッセージと共に、又はこのようなチャネルを介した独立したページングアクノリッジメントメッセージとして送信される。
【００１８】
ｃ−ＲＮＴＩ及びＳＣＣＨの選択は（ページングメッセージに添付される）、Ｎｏｄｅ  Ｂにより管理されるかもしれない。Ｎｏｄｅ  Ｂは、未使用のｃ−ＲＮＴＩと１以上のＳＣＣＨとを選択し、これらをページングメッセージによりＵＥに通知する。異なるセルに報知されるページングメッセージは、異なるｃ−ＲＮＴＩとＳＣＣＨとを有するかもしれない。
【００１９】
あるいは、ｃ−ＲＮＴＩとＳＣＣＨとの選択は、ａＧＷ又は独立したＲＲＭサーバにより管理され、この場合、ｃ−ＲＮＴＩとＳＣＣＨとはセルに固有のものとして選択され、これにより、各Ｎｏｄｅ  Ｂは異なるｃ−ＲＮＴＩ及びＳＣＣＨとを用いてページングメッセージを送信する。あるいは、ｃ−ＲＮＴＩ及びＳＣＣＨは、トラッキングエリアに固有のものであってもよく、これにより、トラッキングエリアの各Ｎｏｄｅ  Ｂは、同一のｃ−ＲＮＴＩとＳＣＣＨとを含むページングメッセージを送信する。
【発明の詳細な説明】
【００２０】
本発明の実施例は、ＲＡＮが共有トランスポートチャネル（ＳＣＨ）を介しネットワークにより開始される（発生される）接続の確立を実行する。ＳＣＨは、物理的共有制御チャネル（ＳＣＣＨ）セットに関連付けされる。ＳＣＨを介した正しい送受信のためＵＥにより求められる固有の情報は、ＲＡＮからＵＥにＳＣＣＨを介し伝送される。ダウンリンクについては、この情報は、ダウンリンク送信に使用されるリソースと、ＵＥにおける正しい受信を可能にするためのデータのフォーマット化に関する情報とを指定するかもしれない。アップリンクについては、当該情報は再び、何れの送信リソースが他の共有チャネル付与情報（電力配分など）と共に使用されるべきか指定するかもしれない。何れのケースでも、共有チャネル付与が指示される端末は、ＲＡＮ（又はセル）に固有の一時的識別情報（ｃ−ＲＮＴＩ）に基づき共有チャネル上で識別され、それはＳＣＣＨ内のＲＡＮによりＵＥに通知される。
【００２１】
図１は、本発明の実施例によるセルラー通信システムの一例を示す。ネットワークは、ユーザ装置（ＵＥ）ドメインと、無線アクセスネットワーク（ＲＡＮ）ドメインと、コアネットワークドメインとを有する。ＵＥドメインは、無線インタフェースを介しＲＡＮドメインの少なくとも１つの基地局１１２と通信するユーザ装置１１０を有する。ＲＡＮドメインはまた、ＵＭＴＳシステムにおいて使用されるものなど、ネットワークコントローラ（無線ネットワークコントローラ）（図示せず）を有するかもしれない。あるいは、このような機能は、Ｎｏｄｅ  ＢとコアネットワークのａＧＷ又は他のコントローラとの間に分散されるかもしれない。図１はまた、任意的な無線リソースマネージャ（ＲＲＭ）１１４を示す。後述されるように、ＲＲＭは、いくつかの実施例では、Ｎｏｄｅ  Ｂ又はａＧＷにより実行される機能を実行するかもしれない。
【００２２】
コアネットワーク（ＣＮ）１１６は、本例では、アクセスゲートウェイ（ａＧＷ）１１８と、サービングＧＰＲＳサポートノード（ＳＧＳＮ）１２０と、ゲートウェイＧＰＲＳサポートノード（ＧＧＳＮ）１２２とを有する。コアネットワークは、外部ネットワーク１２４に接続される。ＳＧＳＮ１２０は、ＵＥの位置の追跡を含む、セッション制御を行う。ＧＧＳＮ１２２は、外部ネットワーク１２４の最終的な宛先（インターネットサービスプロバイダなど）へのコアネットワーク１１６内のユーザデータを集結及びトンネリングする。さらなる詳細は、参照によりここに援用される、フランスのＳｏｐｈｉａ  Ａｎｔｉｐｏｌｉｓ，Ｖａｌｂｏｎｎｅの６５０  Ｒｏｕｔｅ  ｄｅｓ  Ｌｕｃｉｏｌｅｓの３ＧＰＰサポートオフィスにより刊行されたＴＳ２３．２４６ｖ６．４．０“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）；Ａｒｃｈｉｔｅｃｔｕｒｅ  ａｎｄ  Ｆｕｎｃｔｉｏｎａｌ  Ｄｅｓｃｒｉｐｔｉｏｎ（Ｒｅｌｅａｓｅ  ６）”などの３ＧＰＰ  ＵＭＴＳ技術仕様書にあるかもしれない。
【００２３】
図２は、本発明の実施例によるネットワークにより開始される接続の確立を示す。ネットワークコントローラ（コアネットワークにおけるアクセスゲートウェイ１１８など）が、セルにおいて報知される登録エリアのＮｏｄｅ  Ｂ１１２にページングメッセージを送信する。ページングメッセージが各セルにおいて報知される前、Ｎｏｄｅ  Ｂは、ｃ−ＲＮＴＩ及びＳＣＣＨインデックスをメッセージに添付する。ｃ−ＲＮＴＩ及びＳＣＣＨは、セルにおける利用可能なｃ−ＲＮＴＩ及びＳＣＣＨから選択され、いくつかの実施例では、Ｎｏｄｅ  Ｂにおけるスケジューラにより管理されるかもしれない。対応するＵＥ１１０（ページングが指定されるＵＥ）は、共有チャネルを介したデータ送信のため、このｃ−ＲＮＴＩ及びＳＣＣＨインデックスを利用する。
【００２４】
図３は、ネットワークにより開始される接続の確立手順の一実施例による通知フローの一例を示す。ネットワークは、接続を開始するため、Ｎｏｄｅ  Ｂを介しＵＥにページングメッセージを送信する。まず、コアネットワーク（又はいくつかの実施例ではより詳細には、コアネットワーク内のアクセスゲートウェイ）は、登録エリアにおける該当するＮｏｄｅ  Ｂにページングメッセージを送信する。コアネットワークからページングメッセージを受信した後、各Ｎｏｄｅ  Ｂは、ｃ−ＲＮＴＩ及びＳＣＣＨインデックスを選択し（一実施例では）、対応するセルにおいて報知されるページング信号を構成する。セルで報知されるページング信号は、コアネットワーク、ｃ−ＲＮＴＩ及びＳＣＣＨインデックス（図４を参照）からのページングメッセージ（原因，ＵＥアイデンティティ）を含む。ＵＥアイデンティティは、３Ｇ規格において知られている、国際的なモバイル加入者アイデンティティ（ＩＭＳＩ）又は一時的モバイル加入者アイデンティティ（ＴＭＳＩ）により表されるかもしれない。受信ＵＥは、このｃ−ＲＮＴＩをセルに固有のアイデンティティとして、ＳＣＣＨを共有チャネル処理のための関連付けされた共有制御チャネルとして使用するかもしれない。
【００２５】
ページングメッセージの復号化後、ＵＥは、ＲＡＮのＮｏｄｅ  Ｂにページングアクノリッジメントメッセージを送信する。このメッセージは、アップリンク同期情報と合成され、競合ベースアップリンクチャネル（ランダムアクセスチャネル（ＲＡＣＨ）など）を介し送信されるかもしれない。
【００２６】
競合ベースアップリンクチャネル上の可能性のあるＵＥ衝突によって、ページングアクノリッジメントメッセージは遅延を受けるかもしれない。これは、ページングレスポンスメッセージの送信のため、専用の物理アクセスリソースを割り当てることによって回避することができる。これが使用される場合、アップリンク送信（ページングレスポンス）のために割り当てられた物理的アクセスリソースは、ページングメッセージと共にＵＥに通知される。このため、ページング信号は、図５に示される形式をとるかもしれない。
【００２７】
専用のアクセスリソースは、アクセスチャネルのため割り当てられたリソースのサブセットであるかもしれない（図６を参照）、しかしながら、これらのリソースは、通常の競合ベースＲＡＣＨ処理におけるＵＥによる選択とは対照的に、ネットワークによる割当てのため確保されるかもしれない。同一のメッセージフォーマットが、ＲＡＣＨチャネルと専用アクセスチャネルの双方について使用される。ランダムアクセスリソース（ＲＡＣＨチャネル）に関する情報は報知制御チャネル（ＢＣＣＨ）を介し報知され、専用アクセスチャネルのためのチャネル情報は、セルにおいて報知されない。この情報は、本発明の一実施例によると、ページング信号と共にＵＥに送信される。
【００２８】
ＵＥからのページングアクノリッジメントの受信により、ＲＡＮとＵＥとの間で共有チャネル接続が確立され、通知及びトラフィックデータがスケジューリングされた共有チャネルリソースを介し送信される。
・ページングメッセージのマッピング
いくつかの実施例では、２段階のページングが利用される。図７〜９を参照するに、ページング信号１は、ページング信号２により送信されるページングメッセージを読むため、ＵＥグループをウェークアップする。２段階ページングの３つの異なる実現形態が、ここに説明される。
・実現形態１
ページング信号１は、ページングインジケータチャネル（ＰＩＣＨ）などの独立した物理チャネルにマップされる。ＵＥグループは、ＤＲＸサイクル及びＩＭＳＩ（コアネットワークにより知られているＵＥ識別子の一例としてここで使用される）に基づき計算されたページング機会でＰＩＣＨチャネルをウェークアップ及び読む。ページングインジケータが真に設定されている場合、ページングインジケータに対応するＵＥが、ページング信号２で送信されるページングメッセージを読む。
【００２９】
ページング信号２は、独立したページングチャネル（ＰＣＨ）にマップされる。ＩＭＳＩから、ＵＥは、何れのページングチャネルを読むべきか計算し、ＵＥのＩＭＳＩを搬送するページングチャネル内のページングメッセージを読むかもしれない。システムは、１つのＰＩＣＨとＰＣＨグループとを用いて、所与のページング機会に複数のＵＥのためのページングを可能にするかもしれない（図７を参照）。
・実現形態２
他の実施例では、ページング信号１はＳＣＣＨにマップされる。この場合、ページングのため指定されたグループＩＤ又はＩＤ（ページングＩＤ）がＳＣＣＨのＩＤフィールドにおいて利用可能である。ページングインジケータは、ＳＣＣＨ情報フィールドにマップされる（図８）。ＳＣＣＨのチャネルフォーマット（ページング信号１に使用される）は、“通常”の共有チャネル処理に使用されるものと異なることに留意されたい。
【００３０】
ページング信号２は、ページングチャネル（ＰＣＨ）を介し送信される。この場合、ＵＥは、ＤＲＸサイクルとＩＭＳＩにより規定されるスリープモードからウェークアップし、ページングインジケータのためＳＣＣＨを読む。ページング信号１内のページングインジケータの位置は、ＩＭＳＩに基づき計算される。１つのＳＣＣＨしかページングインジケータに使用されない場合、所定のページングＩＤが、ページング信号１がページングインジケータに固有のメッセージであることをＵＥに通知するのに利用されるかもしれない。そうでない場合、複数のＳＣＣＨが使用されるかもしれない。
【００３１】
同一のページング機会に対応するＵＥがグループに割り当てられ、各グループにはグループＩＤが割り当てられる。ユーザグループＩＤは、ＳＣＣＨのアイデンティティフィールドに配置されるかもしれない。ユーザグループＩＤにより規定されるユーザグループに属するＵＥが、それらのページングインジケータのついてＵＥのユーザグループに対応するＳＣＣＨを読む。対応するページングインジケータが真に設定されている場合、ＵＥは、ＰＣＨを介し送信され、ＵＥのＩＭＳＩにより規定されるページング信号２を読む。ＩＭＳＩから、ＵＥは、何れのページングチャネルを読むべきか計算し、ＵＥのＩＭＳＩを搬送するページングチャネル内のページングメッセージを読む。システムは、１以上のＳＣＣＨと１以上のＰＣＨとを利用して、所与のページング機会において複数のＵＥのページングを可能にするかもしれない。
・実現形態３
この実現形態は、ＳＣＣＨとＳＣＨとを用いてページング信号を送信する。さらに、通常の共有チャネル処理に使用されるものと同じチャネルフォーマットが利用される。各ＵＥは、ＵＥに報知されるシステム情報又はＳＣＣＨインデックスが適用可能な規格に従うＵＥに予めプログラムされることに基づき、モニタすべきＳＣＣＨを知る。ＵＥは、ＤＲＸサイクル及びＩＭＳＩに基づき計算されたそれらのページング機会においてページングインジケータに適したＳＣＣＨを聴取する。同一のページング機会を有するＵＥは、ＩＭＳＩに基づきグループに分割される。各グループには、ＳＣＣＨ  ＩＤフィールドに示されるようなユーザグループＩＤが与えられる。ＳＣＣＨのメッセージ部分は、ページングメッセージ（ページング信号２）を搬送する対応するＳＣＨチャネルに割り当てられるリソースを示す。ＵＥがＳＣＣＨ  ＩＤフィールドに示されるユーザグループに属する場合、ＵＥは、それのページングメッセージついて割り当てられたＳＣＨを読む。図９において、一例となる実現形態が示される。システムは、ＳＣＣＨ／ＳＣＨセットを用いて、所与のページング機会において複数のＵＥのページングを可能にする。
・ページングアクノリッジメント／ＵＬ同期
ネットワークからページングメッセージを受信した後、ＵＥは、アップリンクによりページングアクノリッジメントメッセージを送信する。メッセージは、競合ベースチャネル（ランダムアクセスチャネル（ＲＡＣＨ）など）又は割り当てられた専用アクセスチャネルを介し送信される。
【００３２】
ページングアクノリッジメントは、ＵＬ同期要求メッセージと独立に送信されるか、又は合成されるかもしれない。ページングアクノリッジメントがＵＬ同期要求メッセージと合成される場合、メッセージは、ページングメッセージにおいて通知されるｃ−ＲＮＴＩと、報知チャネル（ＢＣＨ）により報知されるシーケンスセットから選択されるか、又はＵＥにプログラムされる適用可能な通信規格仕様（ＵＬ同期に使用される）により指定されるシグネチャシーケンスとを含むかもしれない。メッセージフォーマットは、図１０に示される。
【００３３】
他の実施例では、ＵＥは、ページングアクノリッジメントとＵＬ同期とを異なるメッセージにより送信し、この場合、ページングアクノリッジメントメッセージは、ページングメッセージにより通知されたｃ−ＲＮＴＩ値しか含まない。これは、ＲＡＣＨ又は割り当てられた専用のアクセスチャネルを介し送信されるかもしれない。
【００３４】
ＵＥからページングアクノリッジメントを受信した後、Ｎｏｄｅ  Ｂは、セルレベルにおけるＵＥの位置を知る。その後、Ｎｏｄｅ  Ｂは、共有チャネルを介しＵＥとＮｏｄｅ  Ｂとの間の無線接続を確立する。ＵＥは、ｃ−ＲＮＴＩ及びＳＣＣＨインデックスを利用し、これらは、共有チャネル処理中にそれぞれＵＥとＳＣＣＨとを特定するため、ページングメッセージにより通知される。Ｎｏｄｅ  Ｂは、ＵＥからコアネットワークにページングアクノリッジメントを伝送する。これにより、ＵＥとネットワークとの間の接続が完了する。
・ＳＣＣＨ及びｃ−ＲＮＴＩの管理
ｃ−ＲＮＴＩ及びＳＣＣＨの割当てを管理する１つの方法は、Ｎｏｄｅ  Ｂがｃ−ＲＮＴＩ及びＳＣＣＨを選択することを可能にすることである。ａＧＷからページング要求を受信した後、Ｎｏｄｅ  Ｂは、例えば、ＵＥがアイドル状態にある場合、ＵＥにより使用される１以上のＳＣＣＨ及び未使用のｃ−ＲＮＴＩを選択する。アイドルモード期間中、ＵＥは、Ｎｏｄｅ  Ｂに接続されず、コアネットワークに接続される。ＵＥは、コアネットワークにおいてそれのＵＥ識別子（ＩＭＳＩ又はＴＭＳＩなど）により知られる。いくつかの実施例では、Ｎｏｄｅ  Ｂは、ＵＥ及び基地局を接続するため一時的なＩＤを提供する。Ｎｏｄｅ  ＢがＵＥからページングアクノリッジメントを受信した後、Ｎｏｄｅ  Ｂは、バインディングを完了させるため、コアネットワークにページングアクノリッジメントを送信し、コアネットワークはＵＥがＮｏｄｅ  Ｂのカバーエリア内にあるのを知ることを可能にする。
【００３５】
ページングされたＵＥがすでにＮｏｄｅ  Ｂによってｃ−ＲＮＴＩ及びＳＣＣＨセットに割り当てられている場合（ＵＥがドーマント状態にある場合など）、以前に割り当てられたｃ−ＲＮＴＩ及びＳＣＣＨが、Ｎｏｄｅ  Ｂによりページング信号内で使用されるかもしれない。これは、図１１に示されるように、異なるｃ−ＲＮＴＩとＳＣＣＨとを有する異なるセルに報知されるページングメッセージをもたらす。
【００３６】
あるいは、ｃ−ＲＮＴＩ及びＳＣＣＨは、コアネットワークのａＧＷ又は独立したＲＲＭサーバにより管理／選択されるかもしれない。ｃ−ＲＮＴＩ及びＳＣＣＨは、セルに固有のものとして選択され、この場合、各Ｎｏｄｅ  Ｂは、コアネットワーク又はＲＲＭからの同一の初期ページングメッセージに添付される異なるｃ−ＲＮＴＩ及びＳＣＣＨを含むページングメッセージを送信する。あるいは、トラッキングエリア内のすべてのセルの同一のｃ−ＲＮＴＩ及びＳＣＣＨを含むページングメッセージが送信されるかもしれない（図１２）。この場合、ａＧＷ又はＲＲＭは、ページング要求に使用するため、ｃ−ＲＮＴＩセット及びＳＣＣＨを確保するかもしれない。
【００３７】
ＲＲＭが使用されるとき、それはｃ−ＲＮＴＩ及びＳＣＣＨを割り当てる機能を引き継ぐ。（一実施例では、ａＧＷはページングメッセージを依然として送信する。）ＲＲＭサーバは、一時的識別子セットとＳＣＣＨを確保する。ＲＲＭは、一時的識別子とＳＣＣＨとのページングメッセージへの割当てを選択、割当て及び追跡する。ＲＲＭは、ＵＥ識別子を知っている必要はない（ＩＭＳＩ又はＴＭＳＩなど）。
【００３８】
ネットワークにより開始される接続の確立は、ＵＥ接続状態（アイドル又はドーマント状態など）及びページング原因に応じて変更される。
・アイドル状態ＵＥのページング
アイドル状態のＵＥは、一般にはＲＡＮに接続されていないため、セルレベルでは知られていない。このため、ＵＥは、共有チャネル処理においてそれの使用のため指定されたｃ−ＲＮＴＩ又はＳＣＣＨを有しないであろう。しかしながら、ネットワークへの接続レベルは、２つの定義を有するかもしれない。１つの定義では、ＵＥはＲＡＮとの接続を有さず、コアネットワークに接続される。ネットワークは、アイドルモードのＵＥに関するＵＥ能力又はセキュリティ情報を格納しない。（これは、従来のシステムにおいてアイドルモードのために使用される定義である。）
アイドル状態の第２定義によると、ＵＥは、コアネットワークに接続され、ＲＡＮとの限定的な接続を有する。しかしながら、この限定的な接続によると、ＵＥはｃ−ＲＮＴＩ、ＳＣＣＨ又は無線リソースを割り当てられない。にもかかわらず、ＵＥはネットワーク内で登録され、この場合、ネットワークはネットワークに格納されるＵＥコンテクスト（ＵＥ能力など）を有することとなる。また、セキュリティモード制御及び認証手順が、ＵＥ登録中に実行されており、セキュリティキー（暗号化、インテグリティ保護）が、ネットワークとＵＥとの間で交換されているかもしれない。セキュリティキーは、ＵＥとネットワークに格納される。（これは、ＬＴＥ、すなわち、“長期間の進化”又はＵＭＴＳ後の通信規格の次世代で用いられるアイドル状態の可能な定義である。）
アイドルモードの２つの定義によると、２つの代替的なネットワークにより開始される接続の確立手順が実現される。
【００３９】
図１３は、ＲＡＮとの限定的な接続を有するアイドルモード（おそらくＬＴＥのアイドル状態定義）のＵＥのケースにおけるネットワークにより開始される接続の確立に関する通知フローを示す。
【００４０】
ページングメッセージは、ＩＭＳＩなどのＵＥ識別子により何れのＵＥがページングされたか示す。ページングメッセージは、暗号化され、Ｎｏｄｅ  Ｂに透過に送信される（ａＧＷ又は他のコアネットワーク要素から）。ページングは、図３に関して説明されるページング手順によりセルにおいて報知される（Ｎｏｄｅ  Ｂにより）。ページングメッセージの受信後、ＵＥはページングアクノリッジメント（ＵＬ同期要求がある又はない）を送信する。Ｎｏｄｅ  Ｂは、ａＧＷにページングアクノリッジメントを伝送する。セキュリティ制御又は認証は、当該認証がすでに実行され、セキュリティ情報がａＧＷに格納されているため、不要であることに留意されたい。
【００４１】
ページングアクノリッジメントがネットワークにより受信されると、共有チャネル処理のため、ＵＥとネットワークとの間の接続が確立される。ページングメッセージにより通知されるｃ−ＲＮＴＩ及びＳＣＣＨインデックスが、共有チャネルＩＤとしてＵＥにより使用される。
【００４２】
ページングアクノリッジメントメッセージの送信後、ＵＥは、ＳＣＨ上のリソース割当てのため割り当てられたＳＣＣＨ（ページングメッセージにより通知される）を聴取する。ａＧＷは、Ｎｏｄｅ  ＢにＲＡＢ（Ｒａｄｉｏ  Ａｃｃｅｓｓ  Ｂｅａｒｅｒ）割当て要求を発行する。Ｎｏｄｅ  Ｂは、メッセージ送信のため無線リソースを割当て、ＵＥはＳＣＣＨを開始割り当てられたリソースを通知される。アップリンク時間同期のためＮｏｄｅ  Ｂにおいて計算されるタイミングアドバンス情報がまた、ＳＣＣＨにマップされるかもしれない。あるいは、タイミングアドバンス情報は、別の物理チャネルを用いて伝送されるかもしれない。（Ｎｏｄｅ  Ｂは、伝搬遅延を計算し、タイミングアドバンス情報をＵＥに通知し、これにより、すべてのＵＥからの信号はＮｏｄｅ  Ｂにおいて同期された時間となるであろう。）
Ｎｏｄｅ  Ｂは、ＤＬ−ＳＣＨ（ダウンリンク共有チャネル）上の割り当てられた物理リソースを用いて無線ベアラセットアップメッセージを送信する。無線ベアラセットアップ完了メッセージは、ＵＬ−ＳＣＨ（アップリンク共有チャネル）を介し送信される。ａＧＷによるＲＡＢ割当てレスポンスを受信すると、データ送信が共有チャネルを介し開始される。
【００４３】
無線ベアラセットアップ／レスポンスメッセージが、共有トランスポートチャネル（ＳＣＨ）にマップされた論理的な専用制御チャネル（ＤＣＣＨ）を用いて送信される。この場合、デフォルトベアラコンフィギュレーションが、メッセージ（無線ベアラセットアップ／レスポンスメッセージ）のために使用される。
【００４４】
いくつかの実施例では、システムは、データ送信のためデフォルト（又は格納されている）無線ベアラコンフィギュレーション（又は当該コンフィギュレーションの一部）を利用するかもしれない。この場合、デフォルト（又は格納されている）コンフィギュレーション情報の使用は、ページングメッセージ内で通知されるかもしれない。そうである場合、無線ベアラリコンフィギュレーションのケースで必要とされる追加的情報のみが、データ送信の開始前にＲＡＮとＵＥとの間で通信される必要がある。
【００４５】
ＵＥセキュリティ又は認証情報がアイドル状態においてはネットワークに維持されない場合、セキュリティ制御及び認証は、無線ベアラコンフィギュレーションステップ前に実行されるかもしれない。セキュリティ制御はまた、ＳＣＨを介しＵＥ識別情報として割り当てられたｃ−ＲＮＴＩを用いてＳＣＨ上で実行されるかもしれない。リソース割当ては、割り当てられたＳＣＣＨを介し通信される。
・ドーマント状態ＵＥのページング
ドーマント状態では、ＵＥはネットワークに接続される。このため、それは、ＵＥが最後に登録されたＮｏｄｅ  Ｂからのｃ−ＲＮＴＩに与えられる。ＵＥは、Ｎｏｄｅ  Ｂのカバーエリアからいなくなっているかもしれない。このため、ＵＥは、トラッキングエリアに属するセル（Ｎｏｄｅ  Ｂ）においてページングされる。
【００４６】
ドーマント状態のＵＥのページングは、上述されたアイドル状態のＵＥに対するものと同様である。しかしながら、ＵＥはすでにｃ−ＲＮＴＩを割り当てていたため、同一のｃ−ＲＮＴＩが、ＵＥが最後に登録されたセルにおいてページングされる際にページングメッセージと共に利用されるかもしれない。
【００４７】
本発明が特定の実施例及び例示的な図面に関して説明されたが、当業者は、本発明が記載された実施例又は図面に限定されないことを認識するであろう。本発明の実施例が、いくつかの具体例ではＵＭＴＳの用語を用いて説明されたが、当業者は、このような用語がまた一般的な意味で使用され、本発明がＵＭＴＳ又は３Ｇシステムに限定されないことを認識するであろう。
【００４８】
当業者は、各種実施例の処理が、必要に応じてハードウェア、ソフトウェア、ファームウェア又はこれらに組み合わせを用いて実現可能であることを認識するであろう。例えば、いくつかの処理は、ソフトウェア、ファームウェア又は配線ロジックの制御の下でデジタル回路又はプロセッサを用いて実行可能である。（ここでの“ロジック”という用語は、記載された機能を実行するため当業者により認識されるように、固定されたハードウェア、プログラム可能なロジック及び／又はこれらの適切な組み合わせを表す。）ソフトウェア及びファームウェアは、コンピュータ可読媒体に格納可能である。他のいくつかの処理は、当業者に周知なように、アナログ回路を用いて実現可能である。
【００４９】
簡単化のため、上記説明は、異なる機能ユニット及びプロセッサを参照して本発明の実施例を説明したことは理解されるであろう。しかしながら、本発明から逸脱することなく、異なる機能ユニット、プロセッサ又はドメインの間の機能の何れか適切な分散が利用可能であることが明らかであろう。例えば、別のプロセッサ又はコントローラにより実行されるよう示されている機能は、同一のプロセッサ又はコントローラにより実行可能である。従って、特定の機能ユニットの参照は、厳密な論理的又は物理的構造又は構成を示すものでなく、記載された機能を提供するのに適した手段の参照としてのみみなされるべきである。
【００５０】
本発明がいくつかの実施例に関して説明されたが、それは、ここに与えられる特定の形式に限定されるものでない。むしろ、本発明の範囲は請求項によってのみ限定される。さらに、ある特徴が特定の実施例に関して説明されているようであるが、当業者は、記載された実施例の各種特徴が本発明により組み合わせ可能であることを認識するであろう。
【００５１】
さらに、個別に列記されているが、複数の手段、要素又は方法ステップが、例えば、単一のユニット又はプロセッサなどにより実現可能である。さらに、各特徴が異なる請求項に含まれるかもしれないが、これらはおそらく効果的に組み合わせ可能であり、異なる請求項への包含は、各特徴の組み合わせが実現可能及び／又は効果的でないことを意味するものでない。また、１つの請求項カテゴリへのある特徴の包含は、このカテゴリへの限定を意味するものでなく、当該特徴が必要に応じて他の請求項のカテゴリに等しく適用可能である。
【図面の簡単な説明】
【００５２】
【図１】図１は、本発明の実施例によるセルラー通信システムの一例を示す。
【図２】図２は、本発明の実施例によるネットワークにより開始される接続の確立を示す。
【図３】図３は、本発明の実施例による通知フローの一例を示す。
【図４】図４は、本発明の実施例によるセルにおいて報知されるページング信号のフォーマットを示す。
【図５】図５は、専用アクセスリソースがＵＥに通知される本発明の実施例によるセルにおいて報知されるページング信号のフォーマットを示す。
【図６】図６は、本発明の実施例による割当てに利用可能なリソースを示す。
【図７】図７は、本発明の実施例によるページングメッセージがマップされる３つの異なる方法を示す。
【図８】図８は、本発明の実施例によるページングメッセージがマップされる３つの異なる方法を示す。
【図９】図９は、本発明の実施例によるページングメッセージがマップされる３つの異なる方法を示す。
【図１０】図１０は、本発明の実施例によるアップリンク同期を含むページングアクノリッジメントのフォーマットを示す。
【図１１】図１１は、本発明の実施例による異なるｃ−ＲＮＴＩ及びＳＣＣＨを有する異なるセルにおいて報知されるページングメッセージを示す。
【図１２】図１２は、本発明の実施例によるトラッキングエリア内のすべてのセルにおいて同一のｃ−ＲＮＴＩ及びＳＣＣＨを有する異なるセルにおいて報知されるページングメッセージを示す。
【図１３】図１３は、本発明の実施例によるアイドルモードによる通知フローを示す。
【図１】
2009535950.tif 000003
【図２】
2009535950.tif 000004
【図３】
2009535950.tif 000005
【図４】
2009535950.tif 000006
【図５】
2009535950.tif 000007
【図６】
2009535950.tif 000008
【図７】
2009535950.tif 000009
【図８】
2009535950.tif 000010
【図９】
2009535950.tif 000011
【図１０】
2009535950.tif 000012
【図１１】
2009535950.tif 000013
【図１２】
2009535950.tif 000014
【図１３】
2009535950.tif 000015
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
セルラー通信システムにおいて無線インタフェースを介しユーザ装置とのネットワークにより開始される接続を確立する基地局であって、
ページングメッセージを受信するロジックと、
少なくとも１つのセル内の個別のユーザ装置（ＵＥ）に前記ページングメッセージと一時的識別子とを送信するロジックと、
前記少なくとも１つのセル内のユーザ装置（ＵＥ）からページングアクノリッジメントを受信するロジックと、
前記ページングアクノリッジメントに応答して、当該基地局と前記ＵＥとの間の共有チャネル接続を確立するロジックと、
を有し、
前記一時的識別子は、前記共有チャネルを利用可能な複数のＵＥから前記共有チャネル上で前記個別のＵＥを識別する基地局。
【請求項２】
前記個別のＵＥがドーマント状態にあることに応答して、前記ＵＥが最後に登録された基地局からの一時的識別子を前記ＵＥに割り当てるロジックを有する、請求項１記載の基地局。
【請求項３】
前記送信するロジックは、共有チャネル処理中に前記ＵＥについて制御情報を通信するための少なくとも１つの共有制御チャネル（ＳＣＣＨ）に、前記ページングメッセージと共に少なくとも１つのチャネルインデックスを送信するよう動作可能である、請求項１記載の基地局。
【請求項４】
ページングアクノリッジメントについて前記ＵＥにより使用されるべき専用のアクセスリソースの指示を前記ＵＥに通知するロジックを有する、請求項１乃至３何れか一項記載の基地局。
【請求項５】
前記ページングアクノリッジメントを受信するロジックは、競合ベースアップリンクチャネルを介し前記ページングアクノリッジメントを受信するよう動作可能である、請求項１乃至４何れか一項記載の基地局。
【請求項６】
前記一時的識別子はセルに固有のものであり、
当該基地局はさらに、当該基地局において前記一時的識別子を選択するロジックを有する、請求項１乃至５何れか一項記載の基地局。
【請求項７】
前記ページングアクノリッジメントを受信するロジックは、前記ＵＥからのアップリンク同期要求に基づき、前記ＵＥとの通信を同期させるロジックを有する、請求項１乃至６何れか一項記載の基地局。
【請求項８】
前記一時的識別子は、登録エリア内の複数のセルに共通し、
当該基地局はさらに、前記コアネットワーク又はリソースマネージャから前記一時的識別子を受信するロジックを有する、請求項１乃至７何れか一項記載の基地局。
【請求項９】
前記送信するロジックは、
各ページングインジケータが少なくとも１つのＵＥに対応する少なくとも１つのページングインジケータを第１物理チャネルで送信するロジックと、
各第２物理チャネルが少なくとも１つのＵＥに対応する、前記第１物理チャネルと異なる少なくとも１つの第２物理チャネルで前記ページングメッセージを送信するロジックと、
を有する、請求項１乃至８何れか一項記載の基地局。
【請求項１０】
前記第１物理チャネルは、複数のページングインジケータを搬送するページングインジケータチャネル又はＳＣＣＨチャネルであり、
前記第２物理チャネルは、ページングチャネル又は共有チャネルである、請求項９記載の基地局。
【請求項１１】
セルラー通信システムにおいて無線インタフェースを介しユーザ装置と基地局との間のネットワークにより開始される接続を確立する方法であって、
基地局において、
ページングメッセージを受信するステップと、
少なくとも１つのセル内の個別のユーザ装置（ＵＥ）に前記ページングメッセージと一時的識別子とを送信するステップと、
前記少なくとも１つのセル内のユーザ装置（ＵＥ）からページングアクノリッジメントを受信するステップと、
前記ページングアクノリッジメントに応答して、当該基地局と前記ＵＥとの間の共有チャネル接続を確立するステップと、
を有し、
前記一時的識別子は、前記共有チャネルを利用可能な複数のＵＥから前記共有チャネル上で前記個別のＵＥを識別する方法。
【請求項１２】
セルラー通信システムにおいて無線インタフェースを介しユーザ装置（ＵＥ）と基地局との間のネットワークにより開始される接続を確立するリソースマネージャであって、
前記ＵＥについて一時的識別子を選択するロジックと、
前記ＵＥへの前記基地局による送信のため、ページングメッセージと共に前記一時的識別子を前記基地局に提供するロジックと、
を有し、
前記一時的識別子は、共有チャネルを利用可能な複数のＵＥから前記ＵＥと前記基地局との間の共有チャネル処理中に前記個別のＵＥを識別するリソースマネージャ。
【請求項１３】
セルラー通信システムにおいて無線インタフェースを介しユーザ装置（ＵＥ）と基地局との間のネットワークにより開始される接続を確立する方法であって、
前記ＵＥについて一時的識別子を選択するステップと、
前記ＵＥへの前記基地局による送信のため、ページングメッセージと共に前記一時的識別子を前記基地局に提供するステップと、
を有し、
前記一時的識別子は、共有チャネルを利用可能な複数のＵＥから前記ＵＥと前記基地局との間の共有チャネル処理中に前記個別のＵＥを識別する方法。
【請求項１４】
セルラー通信システムにおいて無線インタフェースを介し基地局とのネットワークにより開始される接続を確立するユーザ装置（ＵＥ）であって、
前記基地局からページングメッセージと一時的識別子とを受信するロジックと、
前記基地局と当該ＵＥとの間の共有チャネル接続を確立するため、ページングアクノリッジメントを前記基地局に送信するロジックと、
を有し、
前記一時的識別子は、前記共有チャネルを利用可能な複数のＵＥから前記共有チャネル上で当該個別のＵＥを識別するユーザ装置。
【請求項１５】
セルラー通信システムにおいて無線インタフェースを介し基地局とのネットワークにより開始される接続を確立する方法であって、
個別のＵＥによって、
前記基地局からページングメッセージと一時的識別子とを受信するステップと、
前記基地局と当該ＵＥとの間の共有チャネル接続を確立するため、ページングアクノリッジメントを前記基地局に送信するロジックと、
を有し、
前記一時的識別子は、前記共有チャネルを利用可能な複数のＵＥから前記共有チャネル上で当該個別のＵＥを識別する方法。
【国際調査報告】
2009535950.tif 000016
2009535950.tif 000017
2009535950.tif 000018